(57)【要約】      （修正有）【課題】填塞物が最も集積し易い場所である軒樋または集水器と縦樋の接続部位の近傍の詰まりを無くする、すなわち接続部位の近傍によく起こる填塞物の詰まりを生じないようにする雨樋の詰まり防止具を提供する。【解決手段】軒樋１に跨り固着される支持基板２中央に穴３をあけ、その穴３に揺動軸４を遊挿し、揺動軸４の下端に空洞重り５を取り付け、揺動軸４の上端に風向板６を取り付け、揺動軸４の中間に軸の落下止め７を止着し、その止着位置を、空洞重り５の先端が軒樋１または集水器と縦樋８の接続部位９の近傍にあるようにした。【選択図】図１
0003219441.tif 000002
【実用新案登録請求の範囲】
【請求項１】
軒樋に跨り固着される支持基板中央に穴をあけ、その穴に揺動軸を遊挿し、揺動軸の下端に空洞重りを取り付け、揺動軸の上端に風向板を取り付け、揺動軸の中間に軸の落下止めを止着し、その止着位置を、前記の重りの先端が軒樋または集水器と縦樋の接続部位の近傍にあるようにした雨樋の詰まり防止具。
【請求項２】
落下止めを、揺動軸への止着位置が任意に調節できるように構成したことを特徴とする請求項１に記載の雨樋の詰まり防止具。
【請求項３】
空洞重りを尖端が下方に向く三角板とし、風向板を矢羽根状としたことを特徴とする請求項１または請求項２に記載の雨樋の詰まり防止具。
【請求項４】
落下止めを揺動軸を貫く半球状にし、球面を下方に向けてその下端が穴の周縁に接するように構成したことを特徴とする請求項１または請求項２に記載の雨樋の詰まり防止具。
【考案の詳細な説明】
【技術分野】
【０００１】  本考案は、雨樋の詰まりを防止する器具に関する。
【背景技術】
【０００２】  風力を利用して随時雨樋の詰まりを防止しようとした先行技術としては特開２００１−１２３６０５号公報に記載された雨樋掃除具がある。この技術は、雨樋の集水器内に滞った塵芥を縦樋内に落下させることを課題とし、掃除ワイヤーを集水器や縦樋内で回転させ、その回転力によって雨水の流通をスムーズにするという手段を用いている。
【先行技術文献】
【特許文献】
【０００３】
【特許文献１】特開２００１−１２３６０５号号公報
【考案の概要】
【考案が解決しようとする課題】
【０００４】  本考案の技術課題は、軒樋または集水器と縦樋の接続部位の近傍は、枯葉、泥、コケ、砂、鳥が運んでくる各種のごみなどの填塞物が最も集積し易い場所であるが、先行技術で注目されていない、その最も填塞物が集積し易い場所によく起こる詰まりを無くする、すなわち、前記接続部位の近傍に填塞物が常に集積しないようにすることにある。
【課題を解決するための手段】
【０００５】  本考案は、軒樋または集水器と縦樋の接続部位の近傍に空洞域を常時作っておき、そこへ流れ込む填塞物が雨水とともに容易に縦樋に流し出されるようにした。
【考案の効果】
【０００６】  請求項１の考案においては、本考案品を軒樋または集水器と縦樋の接続部の上に設置し、風が吹くと、風向板に当たる風の力により揺動軸が揺動し、その下端の空洞重りが一定の範囲を動き回って空洞域を作る。そこに枯葉などが入ってくれば、それらは動く空洞重りにより細かく砕かれる。そして、空洞域の先端は軒樋または集水器と縦樋の接続部位の近傍に形成されているから、流れ込んできた填塞物は、雨水とともにその接続部位を何らの抵抗をも受けることなく通り抜けて縦樋に流れ下る。【０００７】  請求項２の考案においては、接続部の大きさや位置等には各種のものがある、そのいずれにも適応できるように、空洞重りの相対位置を調節することができる。本考案品を設置する際に、空洞重りがその最適位置にあるよう落下止めをしっかりと取り付けることにより、そのことが可能になる。【０００８】  請求項３の考案においては、風向板が矢羽根状で揺動軸の回動範囲が限定されているため回動時の騒音を（回転する風車に比して）極めて低く抑えることができる。その上、空洞重りが三角板になっているから、それが形成する空洞域は、図１（ｂ）が示すように円錐の部分を切り取った形になる。そのため、空洞域の下端すなわち円錐の先端を通り抜ける雨水の流速は上方のそれよりも大になり、上方の填塞物は接続部位に引きずり込まれ下方へ縦樋に向けて流し出される。【０００９】  請求項４の考案においては、落下止めを半球状にして球面部の下端が穴の周縁に接するようになっているから、風向きが各方向に変わるにつれて、揺動軸の上端ひいては揺動軸が起上り小法師のように各方向に自由に傾斜し、軸の下端の空洞重りも各方向に自由に動き回ってさまざまな形の空洞域を形成することができる。
【図面の簡単な説明】
【００１０】
【図１】本考案の雨樋詰まり防止具の一実施例を示す斜視図で、（ａ）は、風向板を矢羽根状とし空洞重りを三角板としたものを示し、（ｂ）は、三角板が形成する空洞域を示す。
【図２】本考案の他の実施例を示す斜視図で、落下止めを半球状とし、風向板を各方面から風の受けられる形にし、空洞重りを様々な形（図では錨の形）としたものを示す。
【考案を実施するための形態】
【００１１】  支持基板は、雨樋と同じ素材、たとえば塩化ビニールなどで作ることができる。金属板その他の素材で任意の形にすることもできる。空洞重りや風向板は、使用される場所の自然条件に適合する形のものが選ばれるが、風向板には設置場所の景観その他を考慮したもの（例えば、動物とかキャラクターなど）が推奨される。空洞重りは、落下止めが多くの時間帯に亘って常時穴に安定的に当接できるに足りる重量を持つものとする。落下止めには、止着位置が調節可能な公知のものが用いられる。適切な止着位置が定まった後は接着材等により恒久的に固定されるようにしてもよい。
空洞重り、風向板、落下止めの揺動軸への取り付け、それらの支持基板への取り付けおよび支持基板の軒樋への固着は、公知の手段を用いて、作業の手順を考慮しながら行う。
【実施例】
【００１２】以下、添付図面に従って、実施例を説明する。
請求項１の考案において、支持基板２を軒樋１へ固着するには、図１（ａ）に示すように、支持基板２の両脚の先端にそれぞれ掛け止め部１４，１５を設け、裏側の掛け止め部１４から縦樋８または集水器（図示を省略する）の表側に針金等１２を巡らせ、その端部を引っ張りながら裏側の掛け止め部１４にくくりつける。次に、表側の掛け止め部１５から縦樋８または集水器の裏側に針金等１３を巡らせ、その端部を引っ張りながら表側の掛け止め部１５にくくりつける。なお、針金等には紐その他が含まれる。【００１３】  あるいは、図２に示すように、支持基板２の表側の脚１３の先端を段階的に係止できる形にし、それを裏側の脚１２の係止環１６に挿しこむ。他方の脚１３についても同様にする。そして、縦樋８の両側において両脚１３と１２により軒樋１をしっかりだき抱えるようにする。または、支持基板２の脚を弾性に富む素材で成型して、その両脚の弾力によって軒樋１を強く締め付けるようにしてもよい。【００１４】  空洞重り５の揺動軸４への取り付けは、空洞重り５に穿ったネジ穴に対し揺動軸４の下端に刻設したネジを捻じ込むようにすれば簡単に行える。これ以外の方法でもよいことは勿論である。また、揺動軸４の下端に合成樹脂の空洞重り５を溶着するという方法も考えられる。【００１５】  請求項２の考案において、落下止め７は、揺動軸４への止着位置を簡単に調節できるように構成する。
図１に示したものは、ネジ１１をねじ込みまたはねじ戻すことにより、落下止め７を揺動軸４に締め付けまたはその締め付けを緩めたりして、揺動軸４への止着位置を任意に調節するようになっている。図２に示したものは、ネジ１１をねじ込みまたはねじ戻すことにより、その先端を揺動軸４に強く圧接しまたはその圧接を緩められたりして、揺動軸４への止着位置を任意に調節するようになっている。【００１６】  請求項３の考案において、矢羽根状の風向板６は、弱い風でも強い風でも揺動軸４を往復回動させることのできるものを選ぶ。その形状は、矢羽根に限らず、回転して大きな騒音を発生しないようなものであれば十分である。
空洞域１０は、図１（ｂ）に図示されているとおり、通常は１８０度未満の角度α°で回動する三角板５により形成される。しかし、台風の時などその角度を超えて三角板５が回転するようになると激しい騒音が発生するから、そのような強風時においても１８０度未満が維持される形の風向板６を選択することが望ましい。【００１７】  請求項４の考案において、揺動軸４が遊挿される穴３の大きさと該軸４を貫く半球状の落下止め７の大きさには注意を要する。落下止め７の球の径が小さければその球面が穴３に入り込み、起上り小法師のように動かなくなり、揺動軸４を常に自由に元の垂直の位置に戻すことができなくなるからである。
【符号の説明】
【００１８】１    軒樋
２    支持基板
３    穴
４    揺動軸
５    空洞重り
６    風向板
７    落下止め
８    縦樋
９    接続部位
１０    空洞域
１１    ネジ
１２、１３  針金等
１４、１５  掛け止め部
１６    係止環
【図１】
0003219441.tif 000003
【図２】
0003219441.tif 000004